(57)【要約】押出成形された熱可塑性材料の足場板が提供される。この板は、実質的に矩形の外形輪郭と、複数の補強材（20）とを含む。実質的に矩形の外形輪郭は、上壁（12）と底壁（14）と1対の側壁（16、18）とによって画定される。複数の補強材（20）は各々、上壁の内面と底壁の内面との間に延びる。補強材の各々は、中間部分（20c）と、1対の上部部分（20a、20b）と、1対の下部部分（20d、20e）とを有する。中間部分（20c）は、上壁（12）および底壁（14）の平面に直交する向きに配置される。1対の上部部分（20a、20b）は各々、中間部分（20c）の上部から上壁（12）の内面に向かって外方に、実質的に等しいが反対の方向にそれぞれ延びる。1対の下部部分（20d、20e）は各々、中間部分（20c）の下部から底壁（14）の内面に向かって外方に、実質的に等しいが反対の角度で延びる。2019512620.tif 000004
2019512620.tif 000002
【特許請求の範囲】
【請求項１】
上壁と底壁と1対の側壁とによって画定された実質的に矩形の外形輪郭と、
各補強材が、該上壁の内面と該底壁の内面との間に延びる、複数の補強材と
を含み、
該補強材の各々が、
該上壁および該底壁の平面に直交する向きに配置された中間部分と、
各上部部分が、該中間部分の上部から該上壁の内面に向かって外方に、実質的に等しいが反対の方向にそれぞれ延びる、1対の上部部分と、
各下部部分が、該中間部分の下部から該底壁の内面に向かって外方に、実質的に等しいが反対の角度で延びる、1対の下部部分と
を有する、
押出成形された熱可塑性材料の足場板。
【請求項２】
前記上壁、前記底壁、前記側壁および前記補強材が、前記足場板の長さに沿って長手方向に延びる、請求項1記載の足場板。
【請求項３】
前記上壁、前記底壁、前記側壁および前記補強材が一体的に形成されている、請求項1または2記載の足場板。
【請求項４】
各補強材の前記1対の上部部分が、前記上壁の隣接内面と共に三角形の長手方向凹部を画定する、請求項1、2、または3記載の足場板。
【請求項５】
各補強材の前記1対の下部部分が、前記底壁の隣接内面と共に三角形の長手方向凹部を画定する、請求項4記載の足場板。
【請求項６】
六角形の長手方向凹部が、隣り合う前記補強材間に画定される、前記請求項のいずれか一項記載の足場板。
【請求項７】
八角形の長手方向凹部が、隣り合う前記補強材間に画定される、請求項1〜6のいずれか一項記載の足場板。
【請求項８】
前記上壁、前記底壁および前記側壁が、前記中間部分、前記上部部分および前記下部部分よりも厚い、前記請求項のいずれか一項記載の足場板。
【請求項９】
前記上壁および底壁が、テクスチャ加工された滑り止め外面を含む、前記請求項のいずれか一項記載の足場板。
【請求項１０】
PCVから押出成形される、前記請求項のいずれか一項記載の足場板。
【請求項１１】
PCV k62型またはk66型から押出成形される、請求項10記載の足場板。
【請求項１２】
以下を含む、押出成形された熱可塑性材料の足場板：
上壁と底壁と1対の側壁とによって画定された実質的に矩形の外形輪郭と、
各上部三角形中空凹部が、該上壁の平面に平行な一つの面を有する、該板の中を長手方向に延びる複数の上部三角形中空凹部、
各下部中空三角形凹部が、該底壁の平面に平行な一つの面を有する、該板の中を長手方向に延びる複数の下部中空三角形凹部、および
各中空六角形凹部または中空八角形凹部が、対向する上部三角形凹部と下部三角形凹部の隣接する対の間に位置する、該板の中を長手方向に延びる複数の中空六角形凹部または中空八角形凹部。
【請求項１３】
対向する上部三角形凹部と下部三角形凹部の隣接する対の間にあり、前記板の中を長手方向に延びる、前記複数の中空凹部
が六角形である、請求項12記載の足場板。
【請求項１４】
対向する上部三角形凹部と下部三角形凹部の隣接する対の間にあり、前記板の中を長手方向に延びる、前記複数の中空凹部
が八角形である、請求項12記載の足場板。
【請求項１５】
前記上壁、前記底壁、前記側壁が、前記上部三角形凹部、前記下部三角形凹部および前記六角形/八角形凹部と一体的に形成されている、請求項12、13、または14記載の足場板。
【請求項１６】
前記上壁および底壁が、テクスチャ加工された外面または滑り止め外面を含む、請求項12〜15のいずれか一項記載の足場板。
【請求項１７】
PCVから押出成形される、請求項12〜16のいずれか一項記載の足場板。
【請求項１８】
PCV k62型またはk66型から押出成形される、請求項17記載の足場板。
【請求項１９】
以下を含む、押出成形された熱可塑性材料の足場板：
上壁と底壁と1対の側壁とによって画定された実質的に矩形の外形輪郭、ならびに
該上壁と該底壁と該1対の側壁内にあり、長手方向に延びるセルの列によって画定され、該セルの各々が、該上壁および該底壁の平面に直交する向きにその最長寸法が配置された6辺または8辺多角形によって画定される、内部ハニカム補強構造。
【請求項２０】
前記多角形が六角形である、請求項19記載の足場板。
【請求項２１】
前記多角形が八角形である、請求項19記載の足場板。
【請求項２２】
前記上壁、前記底壁、前記側壁および前記補強材が、前記足場板の長さに沿って長手方向に延びる、請求項19、20、または21記載の足場板。
【請求項２３】
前記上壁、前記底壁、前記側壁および前記ハニカム補強構造が一体的に形成されている、請求項19〜22のいずれか一項記載の足場板。
【請求項２４】
前記上壁、前記底壁および前記側壁が、前記ハニカム補強構造の壁よりも厚い、請求項19〜23のいずれか一項記載の足場板。
【請求項２５】
前記上壁および底壁が、テクスチャ加工された滑り止め外面を含む、請求項19〜24のいずれか一項記載の足場板。
【請求項２６】
PCVから押出成形される、請求項19〜25のいずれか一項記載の足場板。
【請求項２７】
PCV k62型またはk66型から押出成形される、請求項26記載の足場板。
【発明の詳細な説明】
【技術分野】
【０００１】
発明の分野
本発明は足場板に関する。
【背景技術】
【０００２】
背景
建設、解体、改築、保守および他の建築作業の際に足場を使用することは周知されておりかつ広く普及している。足場は通例、垂直建地、水平布地および水平無目の直線的枠組の仮設物を含む。建地、布地および無目は、通例、クランプによって相互に連結される鋼管である。足場板は、高所作業台を提供するために無目に跨って配置される。足場板は通常、無垢材または単板積層材（LVL）で製造される。
【０００３】
比較的高価であること、比較的重いこと、腐敗しやすいこと、耐紫外線性がないこと、可燃性であること、化学物質汚染に耐性がないこと、カビ胞子や細菌の繁殖に抵抗性がないこと、および再利用可能でないことを含む、無垢材またはLVLの足場板に関連するいくつかの欠点がある。
【０００４】
米国特許出願公開第2013/0192927号（出願番号第13/754212号）（特許文献１）は、ポリ塩化ビニル（PVC）で製造された代替的な足場板を開示している。開示の板は、上述の欠点のいくつかを克服する（例えば、開示の板は、腐敗せず、耐紫外線性があり、かつ再利用可能である）。しかしながら、それら足場板は、荷重下での高い撓み性という大きな欠点を有する。そのようなものとして、それら足場板は、様々な国際規格およびオーストラリア規格、特に足場板の撓み検査に合格せず、この撓み検査は、（オーストラリアやニュージーランドでは）中央に適用される使用荷重限界（例えば210kg）に応答して撓みが1mスパンにわたって10mm未満である必要がある。結果として、この製品は、オーストラリア、米国、英国、カナダ（これらの国は同様の規格を有する）および他の多くの重要な建築市場では使用することができない。
【０００５】
別の公知の代替的な足場板は繊維強化プラスチック（FRP）で製造されている。この足場板もまた、木材/LVL板のいくつかの同様の欠点を克服する。しかしながら、この足場板はまた、比較的重い製品であり、可燃性の高いタイプのプラスチック材料から作製され、再利用が極めて困難であり、かつほどほどに高い温度での極めて高い撓み性を有する。結果として、この製品は、非常に限られた用途にのみ適している。
【０００６】
さらなる公知の代替的な足場板はポリプロピレンで製造されている。この足場板は、オーストラリアの規格も満たしていない。板は、黒色であり、太陽光で著しく柔軟になる。板はまた、発火して炎を移し得る。
【０００７】
足場板はまた、比較的高い材料費および作製費ならびに比較的高重量の点で同様の欠点がある、アルミニウムから作製されている。
【０００８】
発明の目的
本発明の目的は、上記の欠点の1つまたは複数を実質的に克服するかまたは少なくとも改善することである。
【先行技術文献】
【特許文献】
【０００９】
【特許文献１】米国特許出願公開第2013/0192927号（出願番号第13/754212号）
【発明の概要】
【００１０】
よって、第1の局面において、本発明は、
上壁と底壁と1対の側壁とによって画定された実質的に矩形の外形輪郭と、
各補強材が、上壁の内面と底壁の内面との間に延びる、複数の補強材と
を含み、
補強材の各々が、
上壁および底壁の平面に直交する向きに配置された中間部分と、
各上部部分が、中間部分の上部から上壁の内面に向かって外方に、実質的に等しいが反対の方向にそれぞれ延びる、1対の上部部分と、
各下部部分が、中間部分の下部から底壁の内面に向かって外方に、実質的に等しいが反対の角度で延びる、1対の下部部分と
を有する、
押出成形された熱可塑性材料の足場板を提供する。
【００１１】
上壁、底壁、側壁および補強材は、好ましくは、足場板の長さに沿って長手方向に延びる。
【００１２】
上壁、底壁、側壁および補強材は、好ましくは、一体的に形成される。
【００１３】
各補強材の上部部分の対は、好ましくは、上壁の隣接内面と共に三角形の長手方向凹部を画定する。各補強材の下部部分の対は、好ましくは、底壁の隣接内面と共に三角形の長手方向凹部を画定する。
【００１４】
一形態では、六角形の長手方向凹部が、好ましくは、隣り合う前記補強材間に画定される。別の形態では、八角形の長手方向凹部が、好ましくは、隣り合う前記補強材間に画定される。
【００１５】
上壁、底壁および側壁は、好ましくは、中間部分、上部部分および下部部分よりも厚い。
【００１６】
上壁および底壁は、好ましくは、テクスチャ加工された滑り止め外面を含む。
【００１７】
前記板は、好ましくは、PCV、最も好ましくはk62型またはk66型から押出成形される。
【００１８】
第2の局面では、本発明は、以下を含む、押出成形された熱可塑性材料の足場板を提供する：
上壁と底壁と1対の側壁とによって画定された実質的に矩形の外形輪郭、
各上部三角形中空凹部が、上壁の平面に平行な一つの面を有する、該板の中を長手方向に延びる複数の上部三角形中空凹部、
各下部中空三角形凹部が、該底壁の平面に平行な一つの面を有する、該板の中を長手方向に延びる複数の下部中空三角形凹部、および
各中空六角形凹部または中空八角形凹部が、対向する上部三角形凹部と下部三角形凹部の隣接する対の間に位置する、該板の中を長手方向に延びる複数の中空六角形凹部または中空八角形凹部。
【００１９】
一形態では、対向する上部三角形凹部と下部三角形凹部の隣接する対の間にあり板の中を長手方向に延びる複数の中空凹部は六角形である。別の形態では、対向する上部三角形凹部と下部三角形凹部の隣接する対の間にあり板の中を長手方向に延びる複数の中空凹部は八角形である。
【００２０】
上壁、底壁、側壁は、好ましくは、上部三角形凹部、下部三角形凹部および六角形/八角形凹部と一体的に形成される。
【００２１】
上壁および底壁は、好ましくは、テクスチャ加工された外面または滑り止め外面を含む。
【００２２】
板は、好ましくは、PCV、最も好ましくはk62型またはk66型から押出成形される。
【００２３】
第3の局面では、本発明は、以下を含む、押出成形された熱可塑性材料の足場板を提供する：
上壁と底壁と1対の側壁とによって画定された実質的に矩形の外形輪郭、ならびに
上壁と底壁と1対の側壁内にあり、長手方向に延びるセルの列によって画定され、該セルの各々が、上壁および底壁の平面に直交する向きにその最長寸法が配置された6辺または8辺多角形によって画定される、内部ハニカム補強構造。
【００２４】
一形態において、多角形は六角形である。別の形態において、多角形は八角形である。
【００２５】
上壁、底壁、側壁および補強材は、好ましくは、足場板の長さに沿って長手方向に延びる。
【００２６】
上壁、底壁、側壁およびハニカム補強構造は、好ましくは、一体的に形成される。
【００２７】
上壁、底壁および側壁は、好ましくは、ハニカム補強構造の壁よりも厚い。
【００２８】
上壁および底壁は、好ましくは、テクスチャ加工された滑り止め外面を含む。
【００２９】
板は、好ましくは、PCV、最も好ましくはk62型またはk66型から押出成形される。
【図面の簡単な説明】
【００３０】
ここで、本発明の好ましい態様について添付の図面を参照して単に例示として説明する。
【００３１】
【図１】図1は、足場板の態様の斜視図である。
【図２】図2は、図1に示す足場板の拡大切断端面図である。
【図３】図3は、図2に示す足場板の拡大部分詳細図である。
【図４】図4は、足場板の第2の態様の拡大切断端面図である。
【発明を実施するための形態】
【００３２】
好ましい実施形態の詳細な説明
図1〜図3は、押出成形によってポリ塩化ビニル（PVC）熱可塑性材料から作製された足場板10の第1の態様を示している。例として、PVC k62型またはk66型は、PVC樹脂100部当たり次の配合率で使用される。
2019512620.tif 000003
【００３３】
当業者であれば理解するように、上記成分は、特定の用途、気候および温度範囲に適するように配合率を調整するために増加または減少させることができる。
【００３４】
板10は、既存の足場設備に適するように既存の木材板の寸法に適合した寸法で作製される。板10は、幅230mm、厚さ39mm（以下で論じる熱間圧延グリップを含む）であり、2400mmおよび3600mmの長さで作製される。
【００３５】
図2に最もよく示すように、板は、上壁12と、底壁14と、側壁16および18の対とによって画定された実質的に矩形の外形輪郭を有する。壁12、14、16および18はすべて約4mmの厚さである。各々が上壁12の内面と底壁14の内面との間に延びる、全体として参照符号20で示す複数の補強材を除いて、板10の内部は、実質的に中空である。
【００３６】
補強材20は各々、上部部分20aおよび20bの対と、中間部分20cと、下部部分20dおよび20eの対とを有し、これらはすべて厚さが約3mmである。上部部分20aおよび20bは各々、中間部分20cの上部から上壁12の内面に向かって外方に、実質的に等しいが反対の方向にそれぞれ延びる。下部部分20dおよび20eは各々、中間部分20cの下部から底壁14の内面に向かって外方に、実質的に等しいが反対の方向にそれぞれ延びる。上部部分20aおよび20bの対の各々は、上壁12の隣接内面と共に三角形の長手方向凹部22を画定する。同様に、下部部分20dおよび20eの対は各々、底壁14の隣接内面と共に三角形の長手方向凹部24を画定する。六角形の長手方向凹部26は、隣り合う補強材間に画定される。
【００３７】
板10が押出成形されるので、上壁12、下部14、側壁16および18、ならびに補強材20はすべて、板10の全長にわたって長手方向に延びる。上壁12、底壁14、側壁16および18、ならびに補強材20はまた、一体的に形成される。
【００３８】
図3に最もよく示すように、上壁12および底壁14の外面は、グリップ性を高めるために外面に形成された多数の長手方向（滑り止め）突条28を含む。突条28は、テクスチャ加工された熱ローラを使用して形成される。
【００３９】
内部補強材20を説明する別の方法は、これらが一緒になって、長手方向に延びるセル30の列によって画定される内部ハニカム補強構造を形成することである。六角形の最長寸法が上壁12および底壁14の平面に直交する向きに配置された六角形によって、セル30の各々が画定される。
【００４０】
図4は、足場板10'の第2の態様を示している。板10'は、先に説明したものと同様であり、類似の特徴を表すために類似の参照符号が使用される。しかしながら、板10'では、補強材20が僅かにより広い間隔をおいて配置され、その結果、補強材20間に八角形凹部26'が得られる。
【００４１】
板10/10'の構造、特に補強材およびハニカムセルは、優れた曲げ剛性と前述のオーストラリア規格の撓み検査に合格する能力とを板10/10'に与える。板10/10'はまた、それぞれ重さが10.8kgおよび16.2kgである2400mmおよび3600mmの長さの板に関して先に論じた公知の板よりも軽量である。この軽量化によっていくつかの利点がもたらされる。第1に、軽量化によって、板を作製するのに必要な材料が低減され、これにより、製造費および作製費が削減される。輸送費および手作業費も低減される。第2に、板10は、複数の足場高さ間を階段および/または梯子で運ばれるのとは対照的に、足場構造の組立または解体中に複数の高さ間で手渡しできるほど十分に軽量であり、それらの両作業の時間を大幅に短縮する。
【００４２】
板10/10'はまた、腐敗しないこと、紫外線に強い耐性があること、自己消炎性、高い耐衝撃性、高い耐腐食性、放射性粒子の移動を許容しないこと、アスベストを含むある範囲の化学物質により汚染されないこと、カビ胞子や細菌の増殖を許容しないこと、昆虫の侵入を許容しないこと、再利用可能でかつ環境的に持続可能であること、異なる用途のために容易に区別できるように制御可能であることを含む、木製/LVL板の熱可塑性構造に関連する他の利点を維持する。
【００４３】
本発明について好ましい態様を参照して説明してきたが、多くの他の形態で本発明を具体化できることが認識されるであろう。
【図１】
2019512620.tif 000005
【図２】
2019512620.tif 000006
【図３】
2019512620.tif 000007
【図４】
2019512620.tif 000008
【国際調査報告】
2019512620.tif 000009
2019512620.tif 000010
2019512620.tif 000011